【手続補正書】
【提出日】平成17年8月18日(2005.8.18)
【手続補正１】
【補正対象書類名】明細書
【補正対象項目名】発明の名称
【補正方法】変更
【補正の内容】
【発明の名称】ＳＣＳＩインタフェースを搭載するアレイディスク装置の構成定義方法
【手続補正２】
【補正対象書類名】明細書
【補正対象項目名】特許請求の範囲
【補正方法】変更
【補正の内容】
【特許請求の範囲】
【請求項１】
ホストコンピュータに接続する主制御装置と、複数の磁気ディスク装置を統合構成して動作するアレイディスク装置に対し、複数の磁気ディスク装置群に定義された論理ボリュームをアクセス対象として、装置を使用する環境や使用者の意図に応じて前記ホストコンピュータを接続するために、接続ポート、ＳＣＳＩ  ＩＤ、ＬＵＮおよび前記論理ボリュームを選択し、前記ホストコンピュータから前記論理ボリュームへアクセスする経路である論理パスを設定する構成定義方法において、二重化されたアレイディスク装置に対し、二重化した片側に設定した論理パスから二重化したもう一方の側の代替接続ポートへの代替パスの設定を自動的に行うか否かを使用者に選択させることを特徴とする構成定義方法。
【請求項２】
請求項１に記載の構成定義方法において、自動設定を選択した場合、二重化されたアレイディスク装置に対し、片側の接続ポートに設定した論理パスからもう一方の側にある代替の接続ポートへ代替パスを設定する際、前記ホストコンピュータの種類を識別することにより、特定の前記ホストコンピュータに対しては使用者の入力操作を必要とすることなく代替接続ポートを選択し、ＳＣＳＩ  ＩＤを片側の論理パスのＳＣＳＩ  ＩＤに１を加えたもの、およびＬＵＮを片側の論理パスのＬＵＮと同一のものとし、それ以外の前記ホストコンピュータに対しては、ＳＣＳＩ  ＩＤおよびＬＵＮ共に片側の論理パスと同一のものとし、代替パスを設定することを特徴とする構成定義方法。
【請求項３】
請求項１に記載の構成定義方法において、接続ポート、ＳＣＳＩ  ＩＤ、ＬＵＮ、論理ボリュームを選択する代わりに、使用者の入力を接続ポートと接続する前記ホストコンピュータが必要とする磁気ディスクの容量のみとし、入力された容量から、論理ボリュームに定義された容量をもとに未使用の論理ボリュームの組み合わせを生成し、選択した接続ポートに設定した既存の論理パスとの重なりがないように未使用のＳＣＳＩ  ＩＤ、ＬＵＮを昇順に検索し、使用者にＳＣＳＩ  ＩＤおよびＬＵＮの選択をさせることなく論理パスを設定することを特徴とする構成定義方法。
【請求項４】
ホストコンピュータに接続される接続ポートとなるホストＩ/Ｆ制御部を含む主制御装置と、複数の磁気ディスク装置と、構成を管理するサービスプロセッサとを備えるアレイディスク装置の構成定義方法であって、
前記サービスプロセッサは、設定画面を用いて、使用者の選択入力により、前記ホストコンピュータから前記論理ボリュームへアクセスする経路である論理パスを設定する処理を行い、
前記論理パスの構成定義において、前記ホストコンピュータに対し前記接続ポートを割り当て、前記接続ポートに対し複数のＳＣＳＩ  ＩＤを割り当て、前記ＳＣＳＩ  ＩＤに対し複数のＬＵＮを割り当て、これらの組に対し前記論理ボリュームを割り当て、
通常使用する第１の論理パスに基づきその代替となる第２の論理パスを自動的に生成して設定するか否かを前記使用者に選択させ、前記選択に従って前記第１の論理パスの定義と重なりがないように前記第２の論理パスの定義を生成して設定し、
前記第２の論理パスを自動的に生成して設定する場合に、前記ホストコンピュータの種類を識別し、特定の前記ホストコンピュータに対しては、前記使用者の入力操作を必要とすることなく代替の接続ポートを選択し、前記第１の論理パスのＳＣＳＩ  ＩＤに１を加えたＳＣＳＩ  ＩＤと、前記第１の論理パスのＬＵＮと同一のＬＵＮとを選択して前記第２の論理パスを設定し、それ以外の前記ホストコンピュータに対しては、前記第１の論理パスのＳＣＳＩ  ＩＤおよびＬＵＮと同一のものを選択して前記第２の論理パスを設定し、
前記接続ポートに接続する前記ホストコンピュータが必要とする容量が入力された場合に、前記論理ボリュームに定義された容量をもとに、未使用の前記論理ボリュームの組み合わせを生成し、選択した前記接続ポートに設定した既存の前記論理パスとの重なりがないように、未使用のＳＣＳＩ  ＩＤ、ＬＵＮを昇順に検索し、前記使用者にＳＣＳＩ  ＩＤおよびＬＵＮの選択をさせることなく前記論理パスを設定することを特徴とする構成定義方法。
【手続補正３】
【補正対象書類名】明細書
【補正対象項目名】０００２
【補正方法】変更
【補正の内容】
【０００２】
【従来の技術】
論理的単位で定義した非常に多くのボリューム（論理ボリュームと称する）を有する大容量のアレイディスク装置（ディスクアレイ装置ともいう）に対し、ホストコンピュータ（ホストと略称する）からその全ボリュームにＳＣＳＩ接続すべく、装置を使用する環境や使用者の意図に応じて柔軟かつ容易に接続ポート（ＳＣＳＩデバイス）、ＳＣＳＩ  ＩＤ、ＬＵＮ（Logical Unit Number）、対象ボリュームを選択し、論理パスを設定および変更することはできても、通常使用する論理パス（通常パス）の設定と同時に代替パス（代替論理パス）の設定を行うことは不可能であった。また、ＳＣＳＩ  ＩＤおよびＬＵＮの決定にはＳＣＳＩ規格の知識が必要となり、これらを指定しない簡単な入力のみで論理パスの設定を行うことも不可能であった。
【手続補正４】
【補正対象書類名】明細書
【補正対象項目名】０００５
【補正方法】変更
【補正の内容】
【０００５】
この手段に対し、通常使用する論理パスと代替パスの同時設定を可能とする。また、少ない簡単な入力による論理パスの設定を可能とする。
（１）本発明の構成定義方法は、ホストコンピュータに接続する主制御装置（少なくともホストＩ/Ｆ制御部（接続ポートに対応する）を含む）と、複数の磁気ディスク装置を統合構成して動作するアレイディスク装置に対し、複数の磁気ディスク装置群に定義された論理ボリュームをアクセス対象として、装置を使用する環境や使用者の意図に応じて前記ホストコンピュータを接続するために、接続ポート、ＳＣＳＩ  ＩＤ、ＬＵＮおよび前記論理ボリュームを選択し、前記ホストコンピュータから前記論理ボリュームへアクセスする経路である論理パスを設定する構成定義方法において、二重化されたアレイディスク装置に対し、二重化した片側に設定した論理パスから二重化したもう一方の側の代替接続ポートへの代替パスの設定を自動的に行うか否かを使用者に選択させることを特徴とする。
（２）また本構成定義方法は、前記（１）において、自動設定を選択した場合、二重化されたアレイディスク装置に対し、片側の接続ポートに設定した論理パスからもう一方の側にある代替の接続ポートへ代替パスを設定する際、前記ホストコンピュータの種類を識別することにより、特定の前記ホストコンピュータに対しては使用者の入力操作を必要とすることなく代替接続ポートを選択し、ＳＣＳＩ  ＩＤを片側の論理パスのＳＣＳＩ  ＩＤに１を加えたもの、およびＬＵＮを片側の論理パスのＬＵＮと同一のものとし、それ以外の前記ホストコンピュータに対しては、ＳＣＳＩ  ＩＤおよびＬＵＮ共に片側の論理パスと同一のものとし、代替パスを設定することを特徴とする。
（３）また本構成定義方法は、前記（１）において、接続ポート、ＳＣＳＩ  ＩＤ、ＬＵＮ、論理ボリュームを選択する代わりに、使用者の入力を接続ポートと接続する前記ホストコンピュータが必要とする磁気ディスクの容量のみとし、入力された容量から、論理ボリュームに定義された容量をもとに未使用の論理ボリュームの組み合わせを生成し、選択した接続ポートに設定した既存の論理パスとの重なりがないように未使用のＳＣＳＩ  ＩＤ、ＬＵＮを昇順に検索し、使用者にＳＣＳＩ  ＩＤおよびＬＵＮの選択をさせることなく論理パスを設定することを特徴とする。
【手続補正５】
【補正対象書類名】明細書
【補正対象項目名】０００７
【補正方法】変更
【補正の内容】
【０００７】
図４のように１つのＳＣＳＩデバイスであるホストＩ/Ｆ制御部（ポート）２０２に対し、仮想的に（ｍ−１）個のＳＣＳＩ  ＩＤ４０４を柔軟かつ容易に装置の使用環境や使用者の意図に応じて割り当てることにより、設定可能な論理パス数を大幅に増大することができる。これにより、図５のように１つのＳＣＳＩデバイスであるホストＩ/Ｆ制御部２０２に１つのＳＣＳＩ  ＩＤ４０４を割り当てる場合の実質（ｍ−１）倍の論理パスの設定が可能となり、アレイディスク装置の全論理ボリュームを使い切ることができる。つまり大容量を実現できる。
【手続補正６】
【補正対象書類名】明細書
【補正対象項目名】００１９
【補正方法】変更
【補正の内容】
【００１９】
本構成定義方法により定義した論理パスおよび代替パスを用いて、ホストからは、ホスト（Ｉｎｉｔｉａｔｏｒ）とＳＣＳＩ  ＩＤ（Ｔａｒｇｅｔ  ＩＤ）とＬＵＮの組（Ｉ-Ｔ-Ｌ）で対象ボリュームにアクセスする。アクセス対象のボリュームの決定は、接続ポートに組み込まれたマイクロプログラムにより行う。これにより、１つのＳＣＳＩデバイスである接続ポートが、Ｉ-Ｔ-ＬによりＳＣＳＩ  ＩＤ=０を持つＳＣＳＩデバイスにもＳＣＳＩ  ＩＤ=１を持つＳＣＳＩデバイスにもなることが可能で、最大（ｍ−１）個のＳＣＳＩデバイスのように振る舞うことができる。
【手続補正７】
【補正対象書類名】明細書
【補正対象項目名】００２１
【補正方法】変更
【補正の内容】
【００２１】
本方法は、ＳＶＰ２０５上で実行する一プログラムを用いて実現される方法であって、図３のＦＤ３０７記憶媒体からＳＶＰ２０５へ本プログラムをローディングして実行することが可能である。